(57)【要約】【課題】流路において、薬剤がばらついて分布することを防ぐ。【解決手段】流体デバイスの製造方法は、薬剤を担持させるための担体を用意することと、担体を流体デバイスに配置することとを備える。【選択図】図１
2019211439.tif 000002
【特許請求の範囲】
【請求項１】
薬剤を担持させるための担体を用意することと、
前記担体を流体デバイスに配置することと
を備える流体デバイスの製造方法。
【請求項２】
請求項１に記載の流体デバイスの製造方法において、
前記薬剤を含む溶液を前記担体に含浸させることにより、前記担体に前記薬剤を担持させることをさらに備える流体デバイスの製造方法。
【請求項３】
請求項２に記載の流体デバイスの製造方法において、
前記担体を前記流体デバイスに配置した後に、前記担体に前記薬剤を担持させる流体デバイスの製造方法。
【請求項４】
請求項２に記載の流体デバイスの製造方法において、
前記担体に前記薬剤を担持させ薬剤担持担体を形成した後に、前記薬剤担持担体を前記流体デバイスに配置する流体デバイスの製造方法。
【請求項５】
請求項４に記載の流体デバイスの製造方法において、
前記薬剤担持担体の切断が行われた後、切断された前記薬剤担持担体が前記流体デバイスに配置される流体デバイスの製造方法。
【請求項６】
請求項５に記載の流体デバイスの製造方法において、
前記切断では、略同一の大きさの、複数の切断された前記薬剤担持担体が生成される流体デバイスの製造方法。
【請求項７】
請求項５または６に記載の流体デバイスの製造方法において、
前記薬剤の量に基づいた個数の前記切断された薬剤担持担体が、前記流体デバイスに配置される流体デバイスの製造方法。
【請求項８】
薬剤を担持するための担体と、
前記担体が配置された流路を備える流体デバイス。
【請求項９】
請求項８に記載の流体デバイスにおいて、
前記担体は、前記薬剤を前記担体の内部に担持可能である、流体デバイス。
【請求項１０】
請求項８または９に記載の流体デバイスにおいて、
前記担体は、繊維状または多孔質の材料を含む流体デバイス。
【請求項１１】
請求項８から１０までのいずれか一項に記載の流体デバイスにおいて、
前記担体は、前記薬剤を担持している状態で前記流路に配置されている流体デバイス。
【請求項１２】
請求項８から１１までのいずれか一項に記載の流体デバイスにおいて、
前記担体は、前記薬剤の量に基づいた大きさである流体デバイス。
【請求項１３】
請求項８から１１までのいずれか一項に記載の流体デバイスにおいて、
前記薬剤の量に基づいた個数の、略同一の大きさの複数の担体を備える流体デバイス。
【請求項１４】
請求項８から１３までのいずれか一項に記載の流体デバイスにおいて、
前記薬剤は医薬品である、流体デバイス。
【請求項１５】
請求項１４に記載の流体デバイスにおいて、
前記薬剤は抗生物質および核酸からなる群から選択される少なくとも一つである流体デバイス。
【請求項１６】
請求項８から１５までのいずれか一項に記載の流体デバイスにおいて、
前記担体は、セルロース、ニトロセルロースおよびポリテトラフルオロエチレンからなる群から選択される少なくとも一つを含む流体デバイス。
【発明の詳細な説明】
【技術分野】
【０００１】
本発明は、流体デバイスの製造方法および流体デバイスに関する。
【背景技術】
【０００２】
薬剤が配置された流路を有する流体デバイスが知られている。このような流体デバイスでは、薬剤に向けて、流路に沿って試料を含む溶液（以下、試料溶液と呼ぶ）が流れるように設計されており、薬剤の試料との反応の検出等、薬剤を用いた分析が可能に構成されている。特許文献１の流体デバイスでは、薬剤として凝固剤を用い、試料溶液に含まれる試料として血液等を用いており、血液の凝固時間を簡便に調べることができる。
【先行技術文献】
【特許文献】
【０００３】
【特許文献１】特表２０１０−５３９５０３号公報
【発明の概要】
【発明が解決しようとする課題】
【０００４】
このような流体デバイスの製造方法においては、薬剤を含む溶液（以下、薬剤溶液と呼ぶ）を流体デバイスの流路の適切な部位に滴下し、乾固させる方法等により薬剤が配置されていた。しかし、流体デバイスの薬剤が配置された部位（以下、薬剤配置部位と呼ぶ）において、乾燥された薬剤の分布がばらつく等、流体デバイスにおいて薬剤と試料とを接触させる際の条件がばらつく問題が有った。
【課題を解決するための手段】
【０００５】
本発明の好ましい実施形態による流体デバイスの製造方法は、薬剤を担持させるための担体を用意することと、前記担体を流体デバイスに配置することとを備える。
さらに好ましい実施形態では、前記薬剤を含む溶液を前記担体に含浸させることにより、前記担体に前記薬剤を担持させることをさらに備える。
さらに好ましい実施形態では、前記担体を前記流体デバイスに配置した後に、前記担体に前記薬剤を担持させる。
さらに好ましい実施形態では、前記担体に前記薬剤を担持させ薬剤担持担体を形成した後に、前記薬剤担持担体を前記流体デバイスに配置する。
さらに好ましい実施形態では、前記薬剤担持担体の切断が行われた後、切断された前記薬剤担持担体が前記流体デバイスに配置される。
さらに好ましい実施形態では、前記切断では、略同一の大きさの、複数の切断された前記薬剤担持担体が生成される。
さらに好ましい実施形態では、前記薬剤の量に基づいた個数の前記切断された薬剤担持担体が、前記流体デバイスに配置される。
本発明の好ましい実施形態による流体デバイスは、薬剤を担持するための担体と、前記担体が配置された流路を備える。
さらに好ましい実施形態では、前記担体は、前記薬剤を前記担体の内部に担持可能である。
さらに好ましい実施形態では、前記担体は、繊維状または多孔質の材料を含む。
さらに好ましい実施形態では、前記担体は、前記薬剤を担持している状態で前記流路に配置されている。
さらに好ましい実施形態では、前記担体は、前記薬剤の量に基づいた大きさである。
さらに好ましい実施形態では、前記薬剤の量に基づいた個数の、略同一の大きさの複数の担体を備える。
さらに好ましい実施形態では、前記薬剤は医薬品である。
さらに好ましい実施形態では、前記薬剤は抗生物質および核酸からなる群から選択される少なくとも一つである。
さらに好ましい実施形態では、前記担体は、セルロース、ニトロセルロースおよびポリテトラフルオロエチレンからなる群から選択される少なくとも一つを含む。
【発明の効果】
【０００６】
本発明によれば、流体デバイスにおける薬剤を用いた分析等を従来の方法より正確に行うことができる。
【図面の簡単な説明】
【０００７】
【図１】図１（Ａ）は、一実施形態の流体デバイスを模式的に示す上面図であり、図１（Ｂ）および図１（Ｃ）は、当該流体デバイスを模式的に示す断面図である。
【図２】図２（Ａ）、（Ｂ）および（Ｃ）は、一実施形態に係る流体デバイスの製造方法を説明するための概念図である。
【図３】図３は、一実施形態に係る流体デバイスの製造方法の流れを示すフローチャートである。
【図４】図４（Ａ）、（Ｂ）、（Ｃ）および（Ｄ）は、変形例に係る流体デバイスの製造方法を説明するための概念図である。
【図５】図５は、変形例に係る流体デバイスの製造方法の流れを示すフローチャートである。
【発明を実施するための形態】
【０００８】
以下、図を参照して本発明を実施するための形態について説明する。
【０００９】
図１（Ａ）は、本実施形態の流体デバイスを模式的に示す上面図である。流体デバイス１は、流路１０と、流路１０に配置され、薬剤を担持している担体１４ａと、流路構造体２０とを備える。流路１０は、試料導入部１１と、連結流路１２と、試料配置部位１３とを備える。図１（Ａ）において、破線ＢＬは、連結流路１２が流路構造体２０の内部に形成されていることを示している。
【００１０】
以下では、薬剤を担持している担体（以下、薬剤担持担体と呼ぶ）を担体１４ａとして参照し、薬剤を担持していない担体を担体１４ｂとして参照する（後述する図２（Ｂ）参照）。薬剤を担持している場合と担持していない場合の両方の担体を特に区別せずに指す場合には、薬剤を担持するための担体１４として参照する。
【００１１】
試料導入部１１は、連結流路１２と連結された開口部を備える（後述する図１（Ｃ）参照）。試料導入部１１に試料を含む溶液（試料溶液）を滴下等することにより、試料導入部１１から試料溶液が流体デバイス１に導入される。流体デバイス１に導入された試料溶液は、圧力等の外部からの動力がなくとも、毛細管現象によって流路１０の内部を試料配置部位１３に向かって流れる。毛細管現象により効率よく試料溶液を流す等、微小流体の特性を生かすため、流体デバイス１は、流路１０の一部分に幅または高さが１μｍ以上１ｍｍ未満の連結流路１２を含むマイクロ流体デバイスとして構成される。
なお、流体デバイス１は、毛細管現象により流路１０の内部の液体を流動させるものに限定されず、流路１０に加えられる圧力若しくは負圧、または重力等の作用により流路１０内の液体を流動させるものでもよい。この場合、流路１０の幅および高さは特に限定されず、目的や用途等に応じ適宜１０ｍｍ以下または１００ｍｍ以下等に設定される。
【００１２】
試料導入部１１を通過した試料溶液は、連結流路１２へと流れ、連結流路１２を通過した試料溶液は、試料配置部位１３へと流れる。以下の説明では、試料溶液に試料として細胞等を含み、薬剤による細胞の形態の変化を観察する例で説明するが、薬剤と試料溶液とを接触させて反応を検出可能に構成できれば、薬剤や試料の種類は特に限定されない。
【００１３】
図１（Ｂ）は、図１（Ａ）のＡ−Ａ断面図である。流体デバイス１は、流路構造体２０により連結流路１２を含む流路１０が形成された上層１００と、上層１００を支持する下層２００とを備える。薬剤による細胞の形状変化は、連結流路１２に存在する細胞を観察することで検出される。この観点から流路構造体２０は透明であることが細胞を顕微鏡観察するために好ましい。流路構造体２０は、ポリジメチルシロキサン等のポリマーや、ガラス等を含んで構成されることができる。下層２００の材料は板状に加工でき、上層１００に固定可能であれば特に限定されず、様々なポリマー、ガラス等を用いることができる。
【００１４】
図１（Ｃ）は、図１（Ａ）のＢ−Ｂ断面図である。図１（Ｃ）では、試料導入部１１、連結流路１２および薬剤配置部位１３の断面が示されている。試料導入部１１および薬剤配置部位１３は、流路構造体２０を含む上層１００に形成され、下層２００に面している。薬剤配置部位１３には、薬剤担持担体１４ａが配置されている。従来の薬剤の配置方法では、流体デバイスの表面の撥水性や濡れ特性等の分布により、乾燥後の薬剤の分布が薬剤を配置する度に異なり、薬剤の効果が得られるまでの時間がばらつく等の問題があったが、薬剤担持担体１４ａに薬剤を担持させることで、このようなばらつきを抑制することができる。
【００１５】
薬剤を担持させるための担体１４は、薬剤を含む溶液（薬剤溶液）を担持しながら乾燥させることができ、化学反応等により薬剤に顕著な悪影響を起こさないものであれば特に限定されないが、薬剤溶液を含浸させることができるものが好ましい。従来の薬剤の配置方法においては、薬剤溶液を自然乾燥すると薬剤が乾固するまでに長い時間がかかり、この点への対処として減圧等により短い時間で薬剤を乾固させようとすると、突沸等により薬剤が散逸することがあった。さらに、薬剤の性質によっては、乾燥後に粘稠な状態になったり、巨大結晶が形成される問題があった。この場合、薬剤と試料とを接触させた際に、薬剤の溶解に時間がかかり、予め定められた時間内に規定の濃度に達しない等の理由により、薬剤の効果の分析等を正確に行うことができなかった。含浸された薬剤溶液は、乾燥させる際に減圧しても突沸が起こらず、さらに乾固された薬剤が微小な結晶状態として担体内で略均一に分布するため、薬剤配置部位１３において乾固された薬剤の分布がばらつくことを防ぐことができる。
【００１６】
薬剤溶液を含浸可能な材料として、担体１４は繊維状または多孔質の材料を含むことがより好ましい。これにより確実に薬剤溶液を含浸させ、上記効果をもたらすことができる。さらに、繊維状の材料としては、セルロース、ニトロセルロースおよびポリテトラフルオロエチレン（ＰＴＦＥ）からなる群から選択される少なくとも一つを含む材料が、入手の容易さや、後述の切断等の際の取扱いの容易さの観点から好ましく、例えばろ紙等の紙を担体１４として用いてもよい。
【００１７】
担体１４に担持させる薬剤の種類は、溶液として調製可能であり、有効成分が揮発性のものでなければ特に限定されない。当該薬剤は、医薬品を含むことができる。例えば、当該薬剤が抗生物質を含む場合、試料溶液に含まれる試料が細菌または真菌等を含むようにし、当該細菌または真菌に対し配置した抗生物質が有効であるか否かを流体デバイス１を用いて検査することができる。他の例として、当該薬剤がｓｉＲＮＡ、ｍｉＲＮＡまたはアンチセンス核酸等の核酸を含む核酸医薬でもよい。核酸医薬や抗生物質等の医薬品では高価なものもあるが、流体デバイス１を用いると少ない量で検査を行うことができるため好ましい。
【００１８】
流体デバイス１に配置される薬剤の量は、薬剤溶液の濃度または、薬剤溶液が含浸される担体１４の体積により調節される。変形例において後述するように、１つの薬剤配置部位１３に複数の担体１４を配置するようにし、配置する担体１４の個数により含浸される薬剤溶液の量を調製してもよい。
なお、複数の流体デバイス１を用いる場合は、そのうちの一または複数の薬剤配置部位１３は適宜コントロール等として薬剤を配置しなくてもよい。
【００１９】
図２（Ａ）（Ｂ）および（Ｃ）は、流体デバイス１の製造方法を説明するための概念図である。図２（Ａ）（Ｂ）および（Ｃ）の断面図における切断位置は、図１（Ａ）のＢ−Ｂ断面に対応している。図２（Ａ）は、担体１４が配置されていない流体デバイス１ａを示す。図２（Ａ）には、試料導入部１１、連結流路１２および試料配置部位１３が示されている。
【００２０】
流体デバイス１ａは、半導体微細加工技術や精密機械加工技術を用いて流路構造体２０に試料導入部１１、連結流路１２および試料配置部位１３等が加工されることにより製造可能である。流体デバイス１ａは、例えば文献；David C. Duffy et al. Analytical Chemistry, 1998年, Volume 70, pp4974-4984に記載された方法等を用いて製造することができる。
【００２１】
図２（Ｂ）は、図２（Ａ）に示された流体デバイス１ａに、薬剤が担持されていない担体１４ｂが配置された後の流体デバイス１の断面図である。試料配置部位１３に担体１４を配置する方法は特に限定されず、ピンセット等を用いてもよいしロボットアーム等の装置により配置してもよい。担体１４は接着剤等により適宜固定してもよいし、流体デバイス１による分析に問題とならない場合には固定させずに配置してもよい。
【００２２】
図２（Ｃ）は、図２（Ｂ）で試料配置部位１３に配置された担体１４ｂに薬剤溶液Ｄを含浸させることを模式的に示す断面図である。薬剤は、適当な溶媒に溶解され、薬剤溶液Ｄが調製される。溶媒の種類は、薬剤が溶解可能であれば特に限定されない。薬剤溶液Ｄを担体１４ｂに含浸させる方法は特に限定されず、図２（Ｃ）に示すようにピペットＰを用いて担体１４ｂに滴下してもよいし、分注装置等を適宜用いてもよい。担体１４に薬剤溶液Ｄが含浸され薬剤担持担体１４ａ（図１）としたら、薬剤担持担体１４ａに含浸された薬剤溶液Ｄを乾固させる。乾固の方法は自然乾燥でもよいし、流体デバイス１を真空容器等の内部に配置して減圧させることにより行ってもよい。
【００２３】
図３は、本実施形態の流体デバイスを含む流体デバイスの製造方法の流れを示すフローチャートである。ステップＳ１００１において、薬剤が配置されていない流体デバイス１ａと、薬剤を担持させるための担体１４とが用意される。本実施形態のこのステップでは、担体１４は薬剤を担持していない担体１４ｂとなっている。ステップＳ１００１が終了したら、ステップＳ１００３が開始される。ステップＳ１００３において、担体１４ｂがステップＳ１００１で用意された流体デバイス１ａに配置される。ステップＳ１００３が終了したら、ステップＳ１００５が開始される。
【００２４】
ステップＳ１００５において、流体デバイス１ａに配置された担体１４ｂに薬剤を含む溶液を含浸させ、担体１４に薬剤を担持させる。ステップＳ１００５が終了したら、ステップＳ１００７が開始される。ステップＳ１００７において、薬剤を担持させた薬剤担持担体１４ａが乾燥させられ、薬剤が乾固される。ステップＳ１００７が終了したら、処理が終了される。
【００２５】
上述の実施形態によれば、次の作用効果が得られる。
（１）本実施形態の流体デバイスは、薬剤を担持するための担体１４と、担体１４が配置された流路１０を備える。これにより、流体デバイス１に配置された薬剤の分布のばらつきを抑制し、流体デバイス１における薬剤を用いた分析等をより正確に行うことができる。
【００２６】
（２）本実施形態の流体デバイスにおいて、担体１４は、薬剤を担体１４の内部に担持可能である。これにより、流体デバイス１に配置された薬剤の分布のばらつきを抑制する他、担体１４ａを減圧により乾燥させる際に、突沸が起きにくくなり、薬剤が散逸することを防ぐことができる。
【００２７】
（３）本実施形態の流体デバイスにおいて、担体１４は、繊維状または多孔質の材料を含む。これにより、薬剤が担体１４ａの内部で微小な結晶状態として乾固するため、薬剤が粘稠な状態や巨大結晶の状態で試料と接触することを防ぎ、分析等の度に流体デバイス１内での薬剤濃度の変化がばらつかないようにすることができる。
【００２８】
（４）本実施形態の流体デバイスにおいて、担体１４は、セルロース、ニトロセルロースおよびポリテトラフルオロエチレンからなる群から選択される少なくとも一つの材料を含む。これにより、切断等の取扱いが容易である他、担体１４に紙等の繊維状の材料を用いた場合には入手が容易である。
【００２９】
（５）本実施形態の流体デバイスにおいて、担体１４ａは、薬剤を担持している状態で流路１０に配置されている。これにより、流体デバイス１を用いた分析等の度に薬剤を調製する必要が無く、より迅速に分析等を行うことができる。
【００３０】
（６）本実施形態に係る流体デバイスの製造方法は、担体１４ａは、薬剤を担持させるための担体１４を用意することと、担体１４を流体デバイス１ａに配置することとを備える。これにより、流体デバイス１に配置された薬剤の分布のばらつきを抑制し、流体デバイス１における薬剤を用いた分析等をより正確に行うことができる。
【００３１】
（７）本実施形態に係る流体デバイスの製造方法において、薬剤溶液Ｄを担体１４に含浸させることにより、担体１４に薬剤を担持させることをさらに備える。これにより、容易に薬剤を担体１４に導入することができ、また薬剤溶液Ｄを乾燥させる際に減圧しても突沸がおきにくい。さらに、当該乾燥の際、薬剤が担体１４ａの内部で微小な結晶状態として乾固するため、薬剤が粘稠な状態や巨大結晶の状態で試料と接触することを防ぎ、分析等の度に流体デバイス１内での薬剤濃度の変化がばらつかないようにすることができる。
【００３２】
（８）本実施形態に係る流体デバイスの製造方法において、担体１４ｂを流体デバイス１に配置した後に、担体１４ｂに薬剤を担持させる。これにより、担体１４ｂが流体デバイス１の所望の位置に配置されたことを確認してから、薬剤を滴下することができる。
【００３３】
次のような変形も本発明の範囲内であり、上述の実施形態と組み合わせることが可能である。以下の変形例において、上述の実施形態と同様の構造、機能を示す部位等に関しては、同一の符号で参照し、適宜説明を省略する。
（変形例１）
上述の実施形態では、薬剤を含まない担体１４ｂを流体デバイス１に配置してから担体１４ｂに薬剤を配置する構成としたが、担体１４ｂに薬剤を含ませてから流体デバイス１に配置する構成にしてもよい。
【００３４】
図４（Ａ）、（Ｂ）（Ｃ）および（Ｄ）は、本変形例の流体デバイスの製造方法を示す概念図である。図４（Ａ）において、薬剤を含まない担体１４ｂは、流体デバイス１に配置される際の大きさよりも大きい形状を有し、容器Ｃに配置されている。容器Ｃに配置された担体１４ｂに薬剤溶液Ｄが滴下される。薬剤溶液ＤはピペットＰを用いて滴下させてもよいし、不図示の分注装置等を用いて滴下させてもよい。
【００３５】
本変形例の担体１４ｂの材料は上述の実施形態と同様の材料を用いることができるが、切断しやすいものが好ましい。この観点から、担体１４ｂは、紙等の繊維状の材料または多孔質の材料を含む板状の部材を用いることができる。容器Ｃは、担体１４を配置可能であれば特に限定されないが、薬剤溶液Ｄを滴下した際に薬剤溶液Ｄが漏出等しないよう、液体を保持可能なものが好ましい。例えば、担体１４ｂをろ紙とし、容器Ｃをシャーレとすることができる。
【００３６】
図４（Ｂ）において、薬剤溶液Ｄが含浸された担体１４ａが配置された容器Ｃが真空容器Ｖの内部に配置され、減圧により薬剤が乾固させられる。減圧の際に設定される圧力は大気圧より低ければ特に限定されない。このように担体１４を薬剤配置部位１３に配置可能な大きさに加工する前に、薬剤配置部位１３よりも大きな形状の担体１４を一度にまとめて乾燥させることにより、作業の量を減らし迅速に薬剤担持担体１４ａを作成することができる。
なお、自然乾燥等の他の方法により薬剤を乾固させてもよい。
【００３７】
図４（Ｃ）において、乾固された薬剤を担持する薬剤担持担体１４ａが切断され、薬剤配置部位１３に配置可能な大きさに加工される。切断の方法は特に限定されず、ハサミ等の切断工具や切断機を用いることができる。好ましくは、薬剤担持担体１４ａは、紙等にパンチ穴を開けることが可能な穴開けパンチにより円状にくりぬいて切断される（矢印Ａ１）。これにより、略同一の大きさの複数の薬剤担持担体１４ａを迅速かつ容易に作成することができる。
【００３８】
図４（Ｄ）において、薬剤配置部位１３に一または複数個の薬剤担持担体１４ａが配置される。薬剤配置部位１３に配置する薬剤の量に対応した容積の薬剤担持担体１４ａが流体デバイス１に配置される。図４（Ｄ）に示されたように、略同一の大きさの薬剤担持担体１４ａを、薬剤配置部位１３に配置する薬剤の量に対応した個数配置し、流体デバイス１が薬剤の量に基づいた個数の略同一の大きさの複数の担体１４を備えるようにすることが好ましい。これにより、薬剤配置部位１３に配置される薬剤担持担体１４ａの個数を調節することにより、容易に配置される薬剤の量の調節をすることができる。
なお、薬剤配置部位１３に配置する薬剤の量に基づいた大きさになるように薬剤担持担体１４ａを切断し、切断された薬剤担持担体１４ａを薬剤配置部位１３に配置してもよい。この場合、流体デバイス１は薬剤の量に基づいた大きさの担体１４を備える。これにより、薬剤配置部位１３に配置する薬剤の量が精密に決められている場合でも、当該薬剤の量に対応する薬剤担持担体１４ａを正確に形成することができる。
【００３９】
図５は、本変形例に係る流体デバイスの製造方法の流れを示すフローチャートである。ステップＳ２００１において、薬剤が配置されていない流体デバイス１ａと、薬剤を担持させるための担体１４とが用意される。ステップＳ２００１が終了したら、ステップＳ２００３が開始される。ステップＳ２００３において、担体１４に薬剤を含む溶液が含浸され、担体１４に薬剤が担持させられる。ステップＳ２００３が終了したら、ステップＳ２００５が開始される。
【００４０】
ステップＳ２００５において、薬剤を担持させた担体（薬剤担持担体）１４ａが乾燥させられる。ステップＳ２００５が終了したら、ステップＳ２００７が開始される。ステップＳ２００７において、乾燥させた薬剤担持担体１４ａを切断し、薬剤配置部位１３に配置可能な所定の大きさの複数の薬剤担持担体１４ａが作成される。ステップＳ２００７が終了したら、ステップＳ２００９が開始される。
【００４１】
薬剤配置部位１３に配置する薬剤の量に基づいた個数の切断された薬剤担持担体１４ａが、流体デバイス１の薬剤配置部位１３に配置される。ステップＳ２００９が終了したら、処理が終了される。
【００４２】
本変形例によれば、上述の実施形態の作用効果の他に、次の作用効果が得られる。
（１）本変形例に係る流体デバイスの製造方法において、担体１４に薬剤を担持させ薬剤担持担体１４ａを形成した後に、薬剤担持担体１４ａを流体デバイス１に配置する。これにより、薬剤を乾固させる際に、流体デバイス１内では無く、より乾燥させやすい環境で乾固させることができるため、より迅速に薬剤担持担体１４ａを作成することができる。特に、流体デバイス１における薬剤の配置量が多く、さらに溶解度が十分でなく薬剤溶液Ｄの濃度を上げられない場合、薬剤溶液Ｄの量を増やすと薬剤溶液Ｄの乾燥に長時間を要する点が顕著となるが、このような場合でも迅速に薬剤を乾固することができる。
【００４３】
（２）本変形例に係る流体デバイスの製造方法において、薬剤担持担体１４ａの切断が行われた後、切断された薬剤担持担体１４ａが流体デバイス１に配置される。これにより、複数の薬剤配置部位１３に対応する複数の薬剤担持担体１４ａを作成する場合に、一度にまとめて薬剤溶液の含浸と薬剤の乾固とを行えるため、効率的に薬剤担持担体１４ａを作成することができる。
【００４４】
（３）本変形例に係る流体デバイスの製造方法において、薬剤担持担体１４ａの切断では、略同一の大きさの、複数の切断された薬剤担持担体１４ａが生成される。これにより、穴開けパッチ等の切断器具を用いて、所定の薬剤の量に対応する薬剤担持担体１４ａを容易に作成することができる。
【００４５】
（４）本変形例に係る流体デバイスの製造方法において、薬剤の量に基づいた個数の切断された薬剤担持担体１４ａが、流体デバイス１に配置される。これにより、薬剤担持担体１４ａの１個に対応する薬剤の量に基づいて、容易に薬剤配置部位１３に配置する薬剤の量を調節することができる。
【００４６】
本発明は上記実施形態の内容に限定されるものではない。本発明の技術的思想の範囲内で考えられるその他の態様も本発明の範囲内に含まれる。
【００４７】
特に、上述の実施形態において、流体デバイス１の寸法および流路１０等の構成は限定されない。例えば、流体デバイス１は複数の薬剤配置部位１３を備え、試料導入部１１から分岐された流路がそれぞれの試料配置部位１３に連結されていており、複数の種類の薬剤の効果を一度の試料溶液の導入により分析できるように構成されていてもよい。あるいは、流体デバイス１は複数の試料導入部１１と、複数の試料導入部１１と任意に連結された複数の薬剤配置部位１３とを備えてもよい。さらに、流路１０における各部の位置ならびに幅、高さおよび長さ等の寸法、薬剤と試料との反応を検出するための機構等は適宜設計される。加えて、連結流路１２は流体デバイス１の表面に溝として形成されていてもよい。
【符号の説明】
【００４８】
１…流体デバイス、１ａ…薬剤が配置されていない流体デバイス、１０…流路、１１…試料導入部、１２…連結流路、１３…薬剤配置部位、１４…担体、１４ａ…薬剤担持担体、１４ｂ…薬剤を担持していない担体、２０…流路構造体、１００…上層、２００…下層、Ｄ…薬剤溶液、Ｐ…ピペット。
【図１】
2019211439.tif 000003
【図２】
2019211439.tif 000004
【図３】
2019211439.tif 000005
【図４】
2019211439.tif 000006
【図５】
2019211439.tif 000007